(57)【特許請求の範囲】
【請求項１】
三方に側壁（２）を配置し且つ残る一方に出入口（４）を備える間仕切壁（１）と、間仕切壁（１）の下部により形成される空間（１０）の下部に設置する底板（５）と、前記空間（１０）に向けて間仕切壁（１）あるいは底板（５）に着脱可能に浴室設備用品（６）とを備え、
前記各側壁（２，２，２）は、縦フレーム（１２）と横フレーム（１３）とを方形に組み合わせて形成した枠体（３）と、枠体（３）に張られる覆い幕（９）とからなるとともに、隣接する他方の側壁（２）と開閉自在に連結してあり、
前記底板（５）は、いずれか一つの側壁（２）下部に上下回動自在に連結してあり、且つ側壁（２）の枠体（３）内縁と一致する位置まで回動して収容され、
前記間仕切壁（１）を構成する一方の側壁（２）と他方の側壁（２）及び底板（５）とが、それぞれが重ね合わさる状態で折畳まれることを特徴とするバスユニット。
【請求項２】
前記間仕切壁（１）の下部には、車輪（７）が設けてあることを特徴とする請求項１記載のバスユニット。
【発明の詳細な説明】
【０００１】
【発明の属する技術分野】
本発明は、浴槽やシャワーを備えるバスユニットに関し、詳しくは、屋外活動や緊急災害時に使用するバスユニットに関するものである。
【０００２】
【従来の技術】
バスユニットの一般的な構造は、四方を囲む側壁のうちの一方に出入口を有する箱形の浴室内に、浴槽やシャワー装置などの浴室設備用品が設置してある一体構造物をであり、このようなバスユニットは、例えば、工場などで略完成した段階にまで製造され、建設初期段階の一般住宅や集合住宅などに搬送されて、そのまま建築物の配管などに接続して設置するものであった。
【０００３】
【発明が解決しようとする課題】
上記のようなバスユニットは、製品出荷時の段階であらかじめ一体構造物として形成してあり、また、人が容易に持ち運ぶことができない重量であるため、屋外活動や緊急災害時に使用することは常識的に不可能であった。このことから、従来この種のものとしては、ベニア板や樹脂パネルを取付金具や接着剤などで張り合わせて内部空間を有する箱型に形成し、この箱体の内部にシャワー装置などを備えた簡易式のバスユニットが使用されていた。
しかしながら、前記バスユニットには、特別に該ユニットバスの形態をコンパクトにするような機能が備わっておらず、そのまま現地までトラックの荷台などに載せて搬送しなければならなかった。また、バスユニットの不使用時においても、組立は勿論、解体も容易ではなく、前記ユニットバスが使用状態のままで保管されるから、収納スペースを広く要する不都合があった。
【０００４】
本発明は、屋外活動時や緊急災害時に迅速且つ簡単に搬送及び組立を行うことが可能であるとともに、不使用時にはコンパクトに収納保管しておくことができるバスユニットを提供することにある。
【０００５】
【課題を解決するための手段】
上記目的を達成するために、本発明のうち請求項１記載の発明は、三方に側壁を配置し且つ残る一方に出入口を備える間仕切壁と、間仕切壁の下部により形成される空間の下部に設置する底板と、前記空間に向けて間仕切壁あるいは底板に着脱可能に浴室設備用品とを備え、前記各側壁は、縦フレームと横フレームとを方形に組み合わせて形成した枠体と、枠体に張られる覆い幕とからなるとともに、それぞれが隣接する他方の側壁と開閉自在に連結してあり、前記底板は、いずれか一つの側壁下部に上下回動自在に連結してあり、且つ側壁の枠体内縁と一致する位置まで回動して収容され、前記間仕切壁を構成する一方の側壁と他方の側壁及び底板とが、それぞれが重ね合わさる状態で折畳まれることを特徴とする。
【０００６】
ここで側壁とは、バスユニット内を外部から見えないように遮ることができるものであればよく、具体的には、フレームを方形に組み合わせて形成した枠体の全体に、覆い布を被せたものや、あるいは、樹脂パネルを組み合わせたものでもよい。
【０００７】
このように形成すると、バスユニットの不使用時においては、間仕切壁をコンパクトに折畳み、さらに、前記間仕切壁から浴室設備用品も容易に着脱できるので、ユニットバス不使用時の収容スペースを広く必要とせず、しかも、このバスユニットを持ち運んで現場で組み立てる場合でも、容易に組み立てることができる。
【０００８】
また、前記底板が、側壁の内縁と一致する位置にまで回動することにより、各側壁の開閉がより平行な状態で重なり合い、間仕切壁の折畳みの際に、一層コンパクトにすることができる。ここで、底板の厚みは、各側壁の折畳みを考慮し、側壁よりも薄く形成することが望ましい。
【０００９】
また、本発明のうち請求項２記載の発明は、間仕切壁の下部に、車輪を取付けてあるので、バスユニットが組立ててある場合や、または、折畳んである場合の両方の状態であっても、前記バスユニットの持ち運びが好適になる。ここで、車輪とは、バスユニットの搬送を好適にするものであればよく、具体的には、キャスタや、あるいはタイヤなどが挙げられる。
【００１０】
【発明の実施の形態】
以下、本発明のバスユニットの一実施形態を図面に基づいて説明する。
本発明のバスユニットの全体説明をすると、図１に示すように、まず符号１の間仕切壁は、縦フレーム１２と横フレーム１３とを方形に組み合わせて形成した枠体３と、該枠体３に張られるビニール製の覆い幕９と、から側壁２を形成し、該側壁２を三方に隣接配置しているとともに、各側壁２，２，２同士をそれぞれ蝶番１１により横方向への回動が自在に取付け、一方が出入口４として開放する空間１０を有するコ字型に形成してあり、しかも、各側壁２，２，２を略平行に折畳める機構を有している。また、符号５の底板は、上下に貫通する排水孔８を備え、さらに、前記底板５の奥行き側の一端が前記側壁２下部の横フレーム１３に上方への回動が自在に取付けてある。また、符号６の浴室設備用品は、前記側壁２の内面側に、係合可能なブラケット１４を介して着脱自在に取付けてある。そして、符号７はキャスタであり、間仕切壁１の下部に備えられ、バスユニットの現場への搬送を好適にするものである。
尚、間仕切壁１の一方が出入口４として開放しているが、この出入口４には、例えば、着脱自在なカーテン等を取付けて遮断しておくことが望ましい。
【００１１】
上記した間仕切壁１の折畳みの機構を、さらに詳しく説明すると、図２に示すように、各側壁２，２，２を形成している三方の枠体３，３，３のうちの一方側の枠体３と、他方側の枠体３との隣り合う縦フレーム１２同士をそれぞれ蝶番１１により連結しており、各枠体３，３，３同士がそれぞれの縦フレーム１２を軸とし、前記蝶番１１を介して自在に横方向への回動を行える構成をなしている。
【００１２】
さらに、前記側壁２，２，２同士をそれぞれ折重なるように平行に開閉するには、図３のように、各枠体３を連結する蝶番１１において、一方の枠体３を連結する蝶番１１が、側壁２の厚み一枚分の形成幅の分だけ他方の蝶番１１よりも幅広に形成されており、このような幅の相違する蝶番１１を枠体３，３同士の取付けに使用すると、図４のように、各枠体３が一層平行に折畳まれることになる。
また、覆い幕９は、ナイロン素材やポリビニル樹脂などの水密性の高い素材で形成してあり、この覆い幕９は、図１のように、折り畳まれた状態にある各枠体３を組み立てた際に、前記各枠体３の外面側全体に被せて、さらに、枠体３に紐などで結んで離脱しないように取付けることで、ユニットバスの内外を遮断する側壁２が形成される。
【００１３】
また、底板５が側壁２の下部に上下回動自在に取付けてあるのは、間仕切壁１の折畳みの際に、底板５がそのまま水平な状態にあれば、側壁２の回動の邪魔になるから、各側壁２の折畳みに加え、底板５においても前記側壁２と平行に折重なる状態に折畳む必要がある。
そして底板５は、奥行き側の一端と、三方に配置される各枠体３，３，３のうち、真中に配置される枠体３下部を構成する横フレーム１３に回動連結具（図示省略）を介して連結してあり、前記底板５が枠体３下部の横フレーム１３を軸として、この横フレーム１３と水平な位置から上方に回動し、三方のうちの真中に配置される枠体３の内縁側に一致するように収容することが可能である。しかも、前記枠体３の内縁側外寄の位置には、図３に示すように、ストッパー１５が設けてあり、底板５のそれ以上の外側への回動を規制するとともに、三方のうちの両側に配置してある各枠体３，３の下部側にも、それぞれストッパー１６，１６が備えてあり、間仕切壁１が開いた際に、底板５が側壁２の下部に水平な状態で保持される。
【００１４】
さらに、浴室設備用品６が前記間仕切壁１から着脱自在に形成してあるのは、上記底板５の場合と同様に、浴室設備用品６を取付けたままであれば、間仕切壁１の折畳みの際に側壁２の回動の邪魔となるから、前記浴室設備用品６を側壁２から取外す必要がある。
そして、浴室設備用品６は、例えば、蛇口やシャワー装置を備える、ごく一般的な構成のものであり、また、前記浴室設備用品６には背面板１７が固着してあるとともに、該背面板１７にはブラケット１４が取付けてあり、このブラケット１４を介して浴室設備用品６を、前記枠体３を構成している任意の横フレーム１３に引掛けることが可能であるから、前記浴室設備用品６を側壁２に着脱自在に取付けることが可能となっている。
尚、前記浴室設備用品６として、蛇口やシャワー装置に加えて浴槽を設置することも可能であり、この場合には、例えば、合成樹脂や陶器などで形成された浴槽を底板上に載置してもよいし、あるいは、ビニル樹脂や合成ゴムなどで形成された袋に空気を封入したものでもよく、形状や材質などは特に限定するものではない。
【００１５】
そして、上記浴室設備用品６の水源においても、特に限定するものではないが、本発明のバスユニットの使用する状況がおもに屋外であることから、本発明者が発明した特願平１１−１４１５０８号公報に開示される飲料水の消毒装置により、井戸水や池などの自然水を消毒し、この消毒水をバスユニットに供給することが望ましい。
【００１６】
【発明の効果】
本発明のうち請求項１記載のバスユニットによれば、間仕切壁の側壁を縦フレームと横フレームを方形に組が合わせた枠体で形成してあることで、屋外活動や緊急災害時においても、現場に容易に持ち運んで迅速且つ簡単に組み立てることができる。さらに、側壁を構成する枠体で囲まれた内縁のスペースに底板が収納されることにより、バスユニットの不使用時においても簡単に折畳んでコンパクトに保管できるので、収容スペースの有効利用をはかることが可能である。

【００１７】
本発明のうち、請求項２記載の発明によれば、バスユニットが組み立ててある状態、または折畳んだ状態であっても、前記バスユニットの搬送がより一層好適になる。
【図面の簡単な説明】
【図１】本発明のバスユニットの全体を示す一部を切欠した斜視図である。
【図２】本発明の間仕切壁及び底板の折畳み機構を示す説明図である。
【図３】図２のＡ−Ａ線矢視図である。
【図４】本発明の間仕切壁及び底板が折り畳まれた状態を示す横断面図である。
【符号の説明】
１  間仕切壁
２  側壁
４  出入口
５  底板
６  浴室設備用品
７  車輪（キャスタ）
１０  空間
【図１】
0004592893.tif 000002
【図２】
0004592893.tif 000003
【図３】
0004592893.tif 000004
【図４】
0004592893.tif 000005